(57)【特許請求の範囲】
【請求項１】
開口枠の上方に固定される枠取付部材と、前記枠取付部材に回動可能に接続される枠側連結部材と、前記枠側連結部材に着脱可能に連結されてかつ扉の上方に埋設された回動制御手段の回動軸に接続される扉側連結部材とを備えるとともに、
前記枠取付部材に偏心して取り付けられた回動体と、前記回動体の少なくとも一部と当接してかつ該回動体を露出させるようにして前記枠側連結部材に穿設された見込調整孔とを備え、
前記回動体の回動操作に連動して前記枠側連結部材が回動されることにより扉の見込方向の建付け調整が行われることを特徴とする扉支持具。
【請求項２】
前記枠側連結部材に螺入されてかつ該枠側連結部材と前記扉側連結部材とを連結する連結ネジと、前記扉側連結部材に穿設されてかつ前記連結ネジを通したままの状態で前記扉側連結部材の左右方向の摺動を可能にする左右調整孔とを備えたことを特徴とする請求項１記載の扉支持具。
【発明の詳細な説明】
【０００１】
【発明の属する技術分野】
本発明は、扉支持具に関し、特に、建付け調整手段を備えた扉支持具に関する。
【０００２】
【従来の技術】
従来、扉を出入り口の開口枠に取付けるための扉支持具として、扉を上方から吊り込むようにして開口枠に取り付けるものがある。このような扉支持具は、上方に自動復帰装置を有する、いわゆるスウィング扉を取り付けるために用いられることが多い。この場合、スペース上ないし操作上の理由により、建付け調整用の調整機構を扉支持具側に設けることはなく、そのかわりに扉側の自動復帰装置に設けることとしている。
ところで最近は、扉全体の美観を高めるために、上記自動復帰装置の一部または全体を扉に埋設することが多くなってきているが、この場合においても建付け調整は必須であり、該自動復帰装置に設けられた調整機構を外部から操作する必要がある。そのため、扉の化粧板の一部を刳り貫くなどして、建付け調整のための作業窓を設けることが一般的になされていた。
【０００３】
【発明が解決しようとする課題】
しかしながら、扉の化粧板に作業窓を形成してしまうと、たとえそれが扉の一部であっても、その部分が継ぎ接ぎ状態として表面に現われることとなり、結果として扉全体の美観を損なうことになっていた。
また、上記自動復帰装置は、もともと複雑な構造を有しているため、当該装置にさらに上記調整機構を付加することは、その構造をさらに複雑にして製造コストを引き上げる原因になっていた。
さらに、上記調整機構による調整は、その仕組みが複雑であるために、専門知識を有する作業員によらないと精度良く行うことは難しく、長年の使用により扉の建付けに不具合が生じても、使用者はそれを放置することが多かった。
【０００４】
本発明は、上記のような問題を解決するためになされたものであり、その目的は、扉の美的外観を損なうことなく、扉の建付け調整が誰でも容易に行える扉支持具を提供することにある。
【０００５】
本発明の別の目的は、上記目的に加えて、工数を大幅に増大させることなく製造できる簡易な構造の扉支持具を提供することにある。
【０００６】
本発明のさらに別の目的は、上記目的に加えて、建付け調整の精度を向上させることにある。
【０００７】
本発明のさらに別の目的は、上記目的に加えて、建付け調整の自由度を向上させることにある。
【０００８】
【課題を解決するための手段】
上記目的を達成するために、本発明は、開口枠の上方に固定される枠取付部材と、前記枠取付部材に回動可能に接続される枠側連結部材と、前記枠側連結部材に着脱可能に連結されてかつ扉の上方に埋設された回動制御手段の回動軸に接続される扉側連結部材とを備えるとともに、前記枠取付部材に偏心して取り付けられた回動体と、前記回動体の少なくとも一部と当接してかつ該回動体を露出させるようにして前記枠側連結部材に穿設された見込調整孔とを備え、前記回動体の回動操作に連動して前記枠側連結部材が回動されることにより扉の見込方向の建付け調整が行われることを特徴とする扉支持具とした。
【０００９】
上記扉支持具は、前記枠側連結部材に螺入されてかつ該枠側連結部材と前記扉側連結部材とを連結する連結ネジと、前記扉側連結部材に穿設されてかつ前記連結ネジを通したままの状態で前記扉側連結部材の左右方向の摺動を可能にする左右調整孔とを備えることとするのが好ましい。
【００１０】
【発明の実施の形態】
本発明の一実施形態について添付図面に基づき説明する。
【００１１】
図２は、本実施形態にかかる扉支持具の使用態様を示した平面図である。すなわち、扉支持具は、上支持具１と下支持具２とからなり、上支持具１によって扉５を吊り込むようにして上側から支持するとともに、下支持具２によって扉５を下側から支持するものである。
【００１２】
図３は、上支持具１の取付態様を示した外観斜視図である。すなわち、上支持具１は、開口枠６の上方に固定される逆Ｌ字形の枠取付部材１１と、この枠取付部材１１に回動可能に接続される枠側連結部材１２と、この枠側連結部材１２に着脱自在に連結されてかつ扉５の上方の切欠部５ａに埋設された自動復帰装置４の回動軸４ａに接続される扉側連結部材１３とから構成されている。
【００１３】
図１は、上支持具１の詳細を示した外観斜視図である。すなわち、枠取付部材１１と枠側連結部材１２とはそれぞれの一端部にてカシメピン１４によって回動可能に接続されている。
【００１４】
枠取付部材１１の垂直片１１ａと水平片１１ｂには、それぞれ２箇所ずつネジ孔１１ｃが穿設されている。また水平片１１ｂには、カシメピン１４に対向する他端部に、略円形状の見込調整用回動体１５が偏心して取付けられている。
【００１５】
枠側連結部材１２には、カシメピン１４に対向する他端部に、側面が該回動体１５の外周面の少なくとも一部と当接してかつ該回動体１５の全体を露出させるようにして略長方形状の見込調整孔１２ａが穿設されている。また、この見込調整孔１２ａのさらに端側に見込固定孔１２ｂが穿設されており、見込調整用の固定ネジ１６が該見込固定孔１２ｂに通されて枠取付部材１１に螺入されている。また、枠側連結部材１２には、扉側連結部材１３との連結時に両者を固定する２本の連結ネジ１７が螺入されている。
さらに、枠側連結部材１２には、２箇所に凸部を有するストッパー１８ａが回動可能に取付けられるとともに、このストッパー１８ａの各凸部にそれぞれ当接して該ストッパー１８ａの回動範囲を規制する２本の規制ピン１８ｂが取付けられている。
【００１６】
扉側連結部材１３には、各連結ネジ１７に対応する位置に左右調整孔１３ａがそれぞれ穿設されている。各左右調整孔１３ａは、連結ネジ１７の頭部大の円孔と、連結ネジ１７の茎部大の長孔とが一体となった形状を有している。
【００１７】
図４は、下支持具２の取付態様を示した外観斜視図である。すなわち、下支持具２は、扉５の下方の切欠部５ａに埋設される軸収容手段２１と、この軸収容手段２１から下方に延出する支持軸２１ａを軸支する軸受部材２２と、この軸受部材２２と左右方向に摺動可能に連結されてかつ開口枠６の下方に固定されるＬ字形の枠取付部材２３とから構成されている。
【００１８】
軸収容手段２１は、スライダー２１ｂを押上げることで支持軸２１ａを収容した状態に保持するとともに、解除ボタン２１ｃを押下することで前記保持が解除されて支持軸２１ｂが自動的に下方に押出されるようにする機構（図示せず）を内蔵している。
軸受部材２２は、支持軸２１ａが挿入される軸受孔２２ａが穿設されるとともに、枠取付部材２３との連結を行う六角ボルト２４の通り道となる左右調整孔２２ｂが穿設されている。
枠取付部材２３の垂直片２３ａには、２つの長孔２３ｃが穿設されており、水平片２３ｂには六角ボルト２４が螺入されるネジ孔が穿設されている。
【００１９】
ところで、本実施形態の扉支持具をスウィング扉について利用した場合、図５の外観斜視図に示すような揺動抑制装置３を扉先に設置することにより、扉５の揺動を抑制することができる。この揺動抑制装置３は、開口枠６の切欠部６ａに埋設するマグネット収容器３１と、扉５の切欠部５ａに埋設する受け板３２とからなる。マグネット収容器３１には、マグネット（図示せず）がマグネット収容部３１ａに収容されるとともに、該収容部３１ａを昇降させるための機構（図示せず）、及び該機構に対する調整を行うための上下調整ネジ３１ｂを有している。
これにより、扉５には、扉元の自動復帰装置４によってだけでなく、扉先の揺動抑制装置３によっても閉じた状態に復帰させようとする力が働くことになるので、扉５を挟んで気圧差が突然発生するようなことがあっても、必要以上に扉５が揺動することはなく、たとえ揺動したとしてもすぐに静止させることができる。
【００２０】
また、本実施形態は、扉５の上下と開口枠６に化粧板５ｂ、６ｂをそれぞれ嵌め込むことにより、扉周辺の外観を高める効果を奏している。
【００２１】
以下、扉５を開口枠６に取り付けるときの作業手順を説明する。
まず、開口枠６の扉元の上隅に、上支持具１の枠取付部材１１を取り付ける。この取り付けは垂直片１１ａ及び水平片１１ｂに穿設されたネジ孔１１ｃに取付用ネジを螺入することで行う。このとき、枠取付部材１１とともに枠側連結部材１２も同時に取付けられたことになる。
【００２２】
次に、開口枠６の扉元の下隅に、下支持具２の枠取付部材２３を取り付ける。この取り付けは垂直片２３ａに穿設された２つの長孔２３ｃに取付用ネジを螺入することで行う。このとき、長孔２３ｃの長さ分の上下調整が可能である。
【００２３】
次に、開口枠６に自動復帰装置４を埋設した扉５をもって行き、その自動復帰装置４の回動軸４ａから水平方向に延出する扉側連結部材１３と、先ほど開口枠６に取り付けた枠側連結部材１２とを、この枠側連結部材１２に仮締めされた連結ネジ１７を扉側連結部材１３の左右調整孔１３ａに通すようにして重ね合わせる。このとき、扉５の下方に埋設された軸収容手段２１のスライダー２１ｂを押上げて該軸収容手段２１の内部に支持軸２１ａを収容した状態としておく。
【００２４】
次に、図６（ａ）に示すように、扉５を開いた状態とし、枠側連結部材１２と扉側連結部材１３を重ね合わせた状態のままで扉側連結部材１３を扉元方向に摺動させることにより、扉５の左右調整を行う。そして適宜なタイミングで、扉５に埋設された軸収容手段２１の解除ボタン２１ｃを押下して該軸収容手段２１から支持軸２１ａを押出し、扉５を下側から支持させるようにする。このとき、支持軸２１ａを軸受部材２２の軸受孔２２ａにうまく挿入できないときは、六角ボルト２４を緩めて軸受部材２２を左右調整し、当該調整ができたら再び六角ボルト２４を締める。
【００２５】
次に、図６（ｂ）に示すように、枠側連結部材１２と扉側連結部材１３を重ね合わせた状態のままで、連結ネジ１７を本締めし、さらにストッパー１８ａを反時計回りに回動操作して、一方の凸部が規制ピン１８ｂに当接した状態にする。このときストッパー１８ａの他方の凸部が連結ネジ１７側に突出した状態となり、扉側連結部材１３の扉先方向への摺動範囲が規制されることとなる。
【００２６】
ここで、扉５の建付け調整がこれ以上必要ないときは、図６（ｃ）に示すように、化粧板６ｂを切欠部６ａにはめ込んで、扉の取り付けが完了する。
【００２７】
これに対し、扉５の建付け調整がさらに必要なときは、図７に示した手順により建付け調整を行う。すなわち、扉の左右方向については、図７（ａ）に示すように、連結ネジ１７を緩めて扉側連結部材１３を摺動させることによって行い、必要であれば、図７（ｃ）に示すように六角ボルト２４を緩めて軸受部材２２による調整も行う。他方、扉の見込方向については、図７（ｂ）に示すように回動体１５をドライバーで回動操作することによって行う。
【００２８】
ここで、上記見込方向の建付け調整について詳述すると以下のようになる。図８に示すように、回動体１５を反時計回りに回動操作すると、回動体１５は見込調整孔１２ａの側面に当接しながら回動し、この回動体１５の回動に連動して枠側連結部材１２も反時計回りに回動する。これとは逆に、回動体１５を時計回りに回動操作すると、枠側連結部材１２も時計回りに回動する。すなわち、偏心して取り付けられた回動体１５が回動されると、該回動体１５の回動中心と見込調整孔１２ａの側面との離間幅が変動し、その変動の大きさ・方向に応じて枠側連結部材１２が回動体１５に押圧されて回動する仕組みになっている。
【００２９】
なお、上記実施形態では、扉の回動制御手段として自動復帰装置４を採用しているが、これに限定されるものではない。例えば、扉の開閉動作を全て自動制御する装置を埋設することとしてもよいし、扉の開閉範囲のみを制御する装置を埋設することとしてもよい。
【００３０】
また、上記実施形態は、上支持具１、下支持具２、及び揺動抑制装置３を全て備えるものであるが、これに限定されるものではなく、例えば上支持具１と下支持具２、又は上支持具１と揺動抑制装置３との組み合わせで構成してもよいし、上支持具１のみで構成してもよい。
【００３１】
【発明の効果】
以上述べたとおり、本発明は、簡易な構造でかつ操作性に優れる建付け調整手段を備え、しかも該調整手段を扉と開口枠の隙間に設けることとしたために、扉の美的外観を損なうことなく、また扉の建付け調整が誰でも容易に行え、さらに工数を増大させることなく低コストで製造可能な扉支持具を提供できる。
また、微調整が可能な回動体の回動操作により、扉の見込方向の建付け調整を精度よく行うことができる。
さらに、扉の見付方向と左右方向の建付け調整を、扉が支持された状態のままで簡単に行えるため、他人の助けを必要せず、自由度の高い建付け調整が可能である。
【図面の簡単な説明】
【図１】本発明の一実施形態に係る扉支持具（上支持具）の外観斜視図である。
【図２】同扉支持具の使用態様を示した平面図である。
【図３】同扉支持具（上支持具）の取付態様を示した外観斜視図である。
【図４】同扉支持具（下支持具）の取付態様を示した外観斜視図である。
【図５】同扉支持具と併せて用いられる揺動抑制装置の取付態様を示した外観斜視図である。
【図６】同扉支持具による扉の建付け時の様子を示した説明図である。
【図７】同扉支持具による扉の建付け調整時の様子を示した説明図である。
【図８】同扉支持具による扉の見込方向の建付け調整の仕組みを説明するための平面図である。
【符号の説明】
１  上支持具
１１  枠取付部材
１１ａ  垂直片
１１ｂ  水平片
１１ｃ  ネジ孔
１２  枠側連結部材
１２ａ  見込調整孔
１２ｂ  見込固定孔
１３  扉側連結部材
１３ａ  左右調整孔
１４  カシメピン
１５  回動体
１６  固定ネジ
１７  連結ネジ
１８ａ  ストッパー
１８ｂ  規制ピン
２  下支持具
３  揺動抑制装置
４  自動復帰装置
４ａ  回動軸
５  扉
５ａ  切欠部
５ｂ  化粧板
６  開口枠
６ａ  切欠部
６ｂ  化粧板
【図１】
0003823068.tif 000002
【図２】
0003823068.tif 000003
【図３】
0003823068.tif 000004
【図４】
0003823068.tif 000005
【図５】
0003823068.tif 000006
【図６】
0003823068.tif 000007
【図７】
0003823068.tif 000008
【図８】
0003823068.tif 000009